(57)【要約】【課題】温度変化による誤ったメディア判定を防止して、メディア判定から次動作への移行の確保と判定時間の短縮が可能なメディア判別装置、判別方法及び判別プログラムを提供する。【解決手段】ＢＤ、ＣＤ及びＤＶＤに対応するレーザ光源３３，３４，３５、レーザを集光する対物レンズ３１、反射光を電気信号に変換する光検出器３７、光検出器３７からの電気信号に基づいて、ＢＤ、ＣＤ及びＤＶＤのいずれかを判定するディスク判定部５８、光ピックアップ３の温度を検出する温度センサ４、ＢＤの動作温度範囲を記憶する設定記憶部５１、検出された温度が動作温度範囲外か否かを判定する温度判定部５３、動作温度範囲外と判定された場合に、ＢＤの判定をスキップして、ＣＤの判定へ移行させる選択部５４を有する。【選択図】図１
2011040114.tif 000002
【特許請求の範囲】
【請求項１】
光ピックアップからの信号に基づいて、メディアの種類を判定するメディア判定手段を有するメディア判別装置において、
前記光ピックアップ、または、該光ピックアップ近傍の温度を検出する温度検出手段と、
少なくとも一種類のメディアに対応する動作温度範囲を記憶する設定記憶手段と、
前記温度検出手段により検出された温度が、前記動作温度範囲にあるか否かを判定する温度判定手段と、
前記温度判定手段により前記動作温度範囲にないと判定されたメディアを除外してメディアの種類を判定するように、前記メディア判定手段を制御する制御手段と、
を有することを特徴とするメディア判別装置。
【請求項２】
前記光ピックアップは、各メディアの種類に対応するレーザ光を照射する照射手段を備え、
前記温度検出手段は、前記照射手段近傍の温度を検出することを特徴とする請求項１記載のメディア判別装置。
【請求項３】
前記照射手段は、複数のメディアに対応して複数設けられ、
前記温度検出手段は、各照射手段に対応して複数設けられていることを特徴とする請求項２記載のメディア判別装置。
【請求項４】
複数種類のメディアに対応するレーザ光源と、メディアに前記レーザ光源からのレーザ光を照射する対物レンズと、メディアからの反射光を電気信号に変換する光検出手段と、前記光検出手段からの電気信号に基づいて、メディアの種類を判定するメディア判定手段と、を有するメディア判別装置において、
前記光ピックアップ、または、該光ピックアップ近傍の温度を検出する温度検出手段と、
少なくとも一種類のメディアに対応する動作温度範囲を記憶する設定記憶手段と、
前記温度検出手段により検出された温度が、前記動作温度範囲にあるか否かを判定する温度判定手段と、
前記温度判定手段により前記動作温度範囲にないと判定したメディア以外に対応するレーザ光源を使用する選択手段と、
を有することを特徴とするメディア判別装置。
【請求項５】
コンピュータ又は電子回路が有するメディア判定手段が、光ピックアップからの信号に基づいて、メディアの種類を判定するメディア判定処理を行うメディア判別方法において、
前記コンピュータ又は電子回路は、温度検出手段、設定記憶手段、温度判定手段及び制御手段を有し、
前記温度検出手段が、前記光ピックアップ、または、該光ピックアップ近傍の温度を検出する温度検出処理と、
前記設定記憶手段が、少なくとも一種類のメディアに対応する動作温度範囲を記憶する設定記憶処理と、
前記温度判定手段が、前記温度検出手段により検出された温度が、前記動作温度範囲にあるか否かを判定する温度判定処理と、
前記温度判定手段により前記動作温度範囲にないと判定されたメディアを除外してメディアの種類を判定するように、前記メディア判定手段を制御する制御処理と、
を含むことを特徴とするメディア判別方法。
【請求項６】
光ピックアップからの信号に基づいて、メディアの種類を判定するメディア判定処理を、コンピュータに実行させるメディア判別プログラムにおいて、
前記コンピュータに、
前記光ピックアップ、または、該光ピックアップ近傍の温度を検出する温度検出処理と、
少なくとも一種類のメディアに対応する動作温度範囲を記憶する設定記憶処理と、
前記温度検出処理により検出された温度が、前記動作温度範囲にあるか否かを判定する温度判定処理と、
前記温度判定処理により前記動作温度範囲にないと判定されたメディアを除外してメディアの種類を判定する判定処理と、
を実行させることを特徴とするメディア判別プログラム。
【発明の詳細な説明】
【技術分野】
【０００１】
本発明は、メディアの記録再生装置において、記録再生されるメディアの種類を判別するための技術に改良を施したメディア判別装置、判別方法及び判別プログラムに関する。
【背景技術】
【０００２】
現在、広く普及しているメディア（記録媒体を含む情報媒体）のうち、光ディスクを記録再生するための装置は、光ピックアップを搭載している。この光ピックアップは、光ディスクに記録された信号を読み取る際に、レーザ光を光ディスクの記録面に照射し、その反射光を電気信号に変換して出力する機能を有している。
【０００３】
一般的な光ディスクには、ＣＤ(Compact Disc)、ＤＶＤ（Digital Versatile Disc）、ＢＤ（Blu-ray  Disc:登録商標）などの種類があり、かかる複数種類の光ディスクに、一台で対応可能な装置が普及している。このように、複数種類の光ディスクに対応できる装置の場合、光ピックアップは、それぞれの光ディスクに対応したレーザ光源を搭載している。このため、かかる装置においては、挿入された光ディスクの種類を判別して、再生若しくは記録に使用するレーザ光源を選択する機能が必要となる。
【０００４】
通常、光ディスクの種類を判別する際にも、レーザ光が用いられている。例えば、光ピックアップにおけるＢＤ用、ＣＤ用及びＤＶＤ用のレーザ光源からのレーザ光を、光ディスクに照射させて、その戻り光（反射光）により、光ディスクの種類を判定している（特許文献１参照）。
【先行技術文献】
【特許文献】
【０００５】
【特許文献１】特開２００４−２９５９５２号公報
【発明の概要】
【発明が解決しようとする課題】
【０００６】
ところで、各レーザ光は、温度に対する特性が異なる。例えば、比較的高温の場合であっても、ＣＤ及びＤＶＤ用のレーザ光源からのレーザ光は、光ディスクに対して正常に照射され、その反射光は正常に検出される。しかし、ＢＤ用のレーザ光源からのレーザ光は、周囲温度の影響を受け易く、高温（或いは低温）になると、例えば、レーザ光の出力が低下する場合があり、レーザ光の出力低下により光ディスクからの反射光を正常に検出できず、正確なメディア判定ができなくなる可能性がある。その結果、温度環境が、ＢＤ用のレーザ光源による正常な判定が可能な温度範囲外にある場合、メディア判定に時間がかかったり、誤判定をすることにつながる。
【０００７】
そこで、光ピックアップやレーザ光源、或いは、それらの近傍の温度を検出する手段を設け、検出された温度がＢＤ用の判定が可能な温度範囲外にある場合には、再生や記録の動作をシャットダウンすることによって、誤判定を避けることが考えられる。しかし、この結果、温度が低下するまで、ＢＤ以外の光ディスクであるＣＤやＤＶＤの再生もできなくなる。温度変化に応じて、メディア判定のためのパラメータを変化させて判定精度を維持することも考えられるが、温度が限界を超えた場合には、上記の問題は残る。
【０００８】
なお、以上のような温度変化によるメディア判別機能への影響は、住居などの比較的温度変化の範囲が狭い環境よりも、車内などの比較的温度変化の範囲が広い環境で問題となる可能性が高い。
【０００９】
本発明は、以上のような従来技術の問題点を解決するために提案されたものであり、その目的は、温度変化による誤ったメディア判定を防止して、メディア判定から次動作への移行の確保と判定時間の短縮が可能なメディア判別装置、判別方法及び判別プログラムを提供することにある。
【課題を解決するための手段】
【００１０】
上記の課題を解決するために、請求項１記載の発明は、光ピックアップからの信号に基づいて、メディアの種類を判定するメディア判定手段を有するメディア判別装置において、前記光ピックアップ、または、該光ピックアップ近傍の温度を検出する温度検出手段と、少なくとも一種類のメディアに対応する動作温度範囲を記憶する設定記憶手段と、前記温度検出手段により検出された温度が、前記動作温度範囲にあるか否かを判定する温度判定手段と、前記温度判定手段により前記動作温度範囲にないと判定されたメディアを除外してメディアの種類を判定するように、前記メディア判定手段を制御する制御手段と、を有することを特徴とする。なお、請求項５の発明は、請求項１の発明を方法の観点から捉えたものであり、請求項６の発明は、請求項１及び５の発明をプログラムの観点から捉えたものである。
【００１１】
また、請求項４の発明は、複数種類のメディアに対応するレーザ光源と、メディアに前記レーザ光源からのレーザ光を照射する対物レンズと、メディアからの反射光を電気信号に変換する光検出手段と、前記光検出手段からの電気信号に基づいて、メディアの種類を判定するメディア判定手段と、を有するメディア判別装置において、前記光ピックアップ、または、該光ピックアップ近傍の温度を検出する温度検出手段と、少なくとも一種類のメディアに対応する動作温度範囲を記憶する設定記憶手段と、前記温度検出手段により検出された温度が、前記動作温度範囲にあるか否かを判定する温度判定手段と、前記温度判定手段により前記動作温度範囲にないと判定したメディア以外に対応するレーザ光源を使用する選択手段と、を有することを特徴とする。
【００１２】
以上のような発明では、検出された温度が、あるメディアの種類を判定可能な温度範囲外である場合には、当該メディアの判定がスキップされて、他の種類のメディアの判定が行われるため、誤判別する可能性のあるメディアについての判定時間が省略され、他のメディアの判定及び次動作への移行が可能となる。
【００１３】
請求項２の発明は、請求項１のメディア判別装置において、前記光ピックアップは、各メディアの種類に対応するレーザ光を照射する照射手段を備え、前記温度検出手段は、前記照射手段近傍の温度を検出することを特徴とする。
【００１４】
以上のような発明では、温度検出手段は、温度の影響を受ける照射手段の周囲の温度を検出するので、温度判定手段による正確な判定が可能となる。
【００１５】
請求項３の発明は、請求項２のメディア判別装置において、前記照射手段は、複数のメディアに対応して複数設けられ、前記温度検出手段は、各照射手段に対応して複数設けられていることを特徴とする。
【００１６】
以上のような発明では、温度検出手段は、各メディアに対応する照射手段毎に設けられているので、各メディア毎に、温度判定手段による正確な判定が可能となる。
【発明の効果】
【００１７】
以上説明したように、本発明によれば、温度変化による誤ったメディア判定を防止して、メディア判定から次動作への移行の確保と判定時間の短縮が可能なメディア判別装置、判別方法及び判別プログラムを提供できる。
【図面の簡単な説明】
【００１８】
【図１】本発明のメディア判別装置の一実施形態を示すブロック図である。
【図２】図１の実施形態におけるディスク判別処理の手順を示すフローチャートである。
【図３】本発明の他の実施形態におけるディスク判別処理の手順を示すフローチャートである。
【発明を実施するための形態】
【００１９】
以下に、本発明を実施するための形態（以下、実施形態とする）について、図面を参照して具体的に説明する。
[構成]
まず、本実施形態の構成を、図１を参照して説明する。すなわち、本実施形態は、ターンテーブル１、スピンドルモータ２、光ピックアップ３、温度センサ４、制御装置５等を有している。
【００２０】
ターンテーブル１は、再生する光ディスクＤを支持するテーブルである。スピンドルモータ２は、光ディスクＤを支持したターンテーブル１を回転させるモータである。
【００２１】
光ピックアップ３は、光ディスクＤの情報を光学的に読み取るための検出手段である。この光ピックアップ３は、対物レンズ３１、アクチュエータ３２、ＢＤレーザ光源３３、ＣＤレーザ光源３４、ＤＶＤレーザ光源３５、光学素子部３６、光検出器３７等を有している。
【００２２】
対物レンズ３１は、光ディスクＤにレーザ光を集光するレンズである。アクチュエータ３２は、対物レンズ３１を支持する部材に構成され、対物レンズ３１を電磁的に駆動するためのコイル及び磁石等であり、例えば、駆動電圧によって対物レンズ３１をトラッキング方向及びフォーカス方向の２方向に駆動する２軸アクチュエータが考えられる。
【００２３】
ＢＤレーザ光源３３、ＣＤレーザ光源３４、ＤＶＤレーザ光源３５は、ＢＤ、ＣＤ及びＤＶＤの信号の検出用のレーザ光を出力するレーザダイオードである（照射部）。光学素子部３６は、ビームスプリッタ、コリメータレンズ、シリンドリカルレンズ等により構成されている。
【００２４】
ビームスプリッタは、ＢＤレーザ光源３３、ＣＤレーザ光源３４、ＤＶＤレーザ光源３５からのレーザ光を、それぞれコリメータレンズを介して対物レンズ３１に導くとともに、ディスクＤからの反射光をシリンドリカルレンズを介して光検出器３７に導く分光器である。光検出器３７は、ディスクＤからの反射光を電気信号に変換するフォトダイオードである。
【００２５】
温度センサ４は、光ピックアップ３近傍の温度を検出する手段である（温度検出部）。温度センサ４は、光ピックアップ３、或いはその近傍の温度を検出できる位置であれば、どの位置に設けてもよい。但し、本実施形態では、ＢＤに対応する温度範囲が重要であるため、温度センサ４は、ＢＤレーザ光源３４に内蔵、若しくはＢＤレーザ光源３４の近傍に設けられている。
【００２６】
なお、本実施形態は、一般的な装置と同様に、光ピックアップ３を光ディスクＤの半径方向に移動させるスレッドモータ及びピックアップ送り機構等を備えるが、図示は省略する。
【００２７】
上記のスピンドルモータ２、アクチュエータ３２、スレッドモータ等の作動、ＢＤレーザ光源３３、ＣＤレーザ光源３４、ＤＶＤレーザ光源３５の発光、光検出器３７及び温度センサ４からの信号の処理等は、制御装置５によって制御される。
【００２８】
この制御装置５は、設定記憶部５１、温度測定部５２、温度判定部５３、選択部５４、レーザ制御部５５、駆動制御部５６、振幅測定部５７、ディスク判定部５８等を有している。設定記憶部５１は、ＢＤ用のレーザ光による正常な判定が可能な温度範囲（以下、動作温度範囲とする）、光ディスクＤの種類の判定基準等の各種の設定を記憶するメモリ等の記憶手段である。
【００２９】
温度測定部５２は、温度センサ４からの信号に基づいて、温度を測定する手段である。温度判定部５３は、温度測定部５２により測定された温度に基づいて、設定記憶部５１に記憶された動作温度範囲外か否かを判定する手段である。選択部５４は、温度判定部５３による判定結果に基づいて、光ディスクＤを判別するレーザ光源を選択する手段である。
【００３０】
レーザ制御部５５は、選択部５４の選択に従って、ＢＤレーザ光源３３、ＣＤレーザ光源３４、ＤＶＤレーザ光源３５の発光を制御する手段である。駆動制御部５６は、光ディスクＤの判別のために、スピンドルモータ２、アクチュエータ３２及びスレッドモータ等を駆動する手段である。
【００３１】
振幅測定部５７は、光検出器３７からの信号に基づいて、フォーカスを上昇させた時のＦＥ／ＦＳ振幅と、フォーカスを下降させた時のＦＥ／ＦＳ振幅とを求める手段である。ここで、ＦＥは、フォーカスエラー信号、ＦＳは、フォーカスサム信号である。
【００３２】
ＦＥは、焦点が合わないとメインスポットが真円を描かないことを利用して、メインスポットの中心を基準として４等分した区画（Ａ，Ｂ，Ｃ，Ｄ）における光量（電圧振幅）のうち、所定の対となる区画の光量の差に基づいて検出される信号である。このＦＥは、誤差を打ち消す方向に対物レンズ３１が駆動されるように、アクチュエータ３２に流れる電流を制御するために用いられる。なお、上記はＦＥの検出方法の一例を示すものであり、他の方法によりＦＥを検出してもよいことは言うまでもない。ＦＳは、Ａ，Ｂ，Ｃ，Ｄの区画における光量を加算した全加算信号である。
【００３３】
ディスク判定部５８は、フォーカス上昇時とフォーカス下降時のＦＥ／ＦＳ振幅の平均を求め、設定記憶部５１に記憶された判定基準に基づいて、光ディスクＤの種類を判定する手段である（メディア判定部）。
【００３４】
なお、一般的な光ディスク装置において、光ディスクに記録された信号の再生、或いは、光ディスクへの信号の記録等に必要な構成、例えば、信号増幅部、信号処理部、サーボ信号生成部、サーボ制御部等については、周知であるため、説明を省略する。
【００３５】
また、制御装置５は、専用の電子回路若しくは所定のプログラムで動作するコンピュータ等によって実現できる。従って、以下に説明する手順で本装置の動作を制御するためのコンピュータプログラム及びこれを記録した記録媒体も、本発明の一態様である。
【００３６】
［作用］
以上のような構成を有する本実施形態によるディスク判別処理の手順を、図２のフローチャートを参照して説明する。すなわち、光ディスクＤの装置への挿入等により、ディスク判別処理を開始する。まず、温度センサ４によって検出された信号に基づいて、温度測定部５２が、光ピックアップ３、または、その近傍の温度を測定する（ステップ２０１）。
【００３７】
次に、温度判定部５３が、測定された温度がＢＤの動作温度範囲内か否かを判定する（ステップ２０２）。動作温度範囲内の場合には（ステップ２０２：ＹＥＳ）、選択部５４によって、ＢＤレーザ光源３３が選択されて、レーザ制御部５５が、ＢＤレーザ光源３３をＯＮとする（ステップ２０３）。駆動制御部５６が、スピンドルモータ２、アクチュエータ３２及びスレッドモータを作動させて、一旦フォーカスを下げる（ステップ２０４）。そして、駆動制御部５６が、フォーカスを上昇させて、振幅測定部５７が、ＦＥ／ＦＳ振幅を測定する（ステップ２０５）。
【００３８】
次に、駆動制御部５６が、フォーカスを下降させて、振幅測定部５７が、ＦＥ／ＦＳ振幅を測定する（ステップ２０６）。そして、ディスク判定部５８が、測定された二つのＦＥ／ＦＳ振幅の平均を取り、ＢＤか否かを判定する（ステップ２０７）。ＢＤと判定された場合（ステップ２０８：ＹＥＳ，ステップ２２１）、制御装置５はディスク判別を終了し、ＢＤ再生動作等の次動作へ移行する。また、ＢＤでないと判定した場合には（ステップ２０２：ＮＯ）、ＣＤレーザ光源３４を用いた判定処理に移行する。
【００３９】
一方、温度判定部５３がＢＤの動作温度範囲外と判定した場合（ステップ２０２：ＮＯ）、ＢＤレーザ光源３３を用いたメディア判定処理（ステップ２０３〜２０８）をスキップして、ＣＤレーザ光源３４を用いた判定処理に移行する。ＣＤレーザ光源３４を用いた判定処理では、選択部５４によりＣＤレーザ光源３４を選択して、レーザ制御部５５が、ＣＤレーザ光源３４をＯＮとする（ステップ２０９）。そして、上記のステップ２０４〜２０６と同様の処理が行われ（ステップ２１０〜２１２）、ディスク判定部５８が、測定された二つのＦＥ／ＦＳ振幅の平均を取り、ＣＤか否かを判定する（ステップ２１３）。ＣＤと判定された場合（ステップ２１４：ＹＥＳ，ステップ２２２）、制御装置５はディスク判別を終了し、ＣＤ再生動作等の次動作へ移行する。
【００４０】
さらに、ディスク判定部５８が、ＣＤでないと判定した場合（ステップ２１４：ＮＯ）、選択部５４によって、ＤＶＤレーザ光源３４が選択されて、レーザ制御部５５が、ＤＶＤレーザ光源３４をＯＮとする（ステップ２１５）。そして、上記のステップ２０４〜２０６と同様の処理が行われ（ステップ２１６〜２１８）、ディスク判定部５８が、測定された二つのＦＥ／ＦＳ振幅の平均を取り、ＤＶＤか否かを判定する（ステップ２１９）。ＤＶＤと判定された場合（ステップ２２０：ＹＥＳ，ステップ２２３）、制御装置５はディスク判別を終了し、ＤＶＤ再生動作等の次動作へ移行する。ＤＶＤでないと判定された場合（ステップ２２０：ＮＯ）、制御装置５はディスク判別処理を終了する。
【００４１】
［効果］
以上のような本実施形態では、始めに、温度センサ４により、光ピックアップ３、または、その近傍の温度を検出し、検出した温度がＢＤの動作温度範囲内であれば、ＢＤの判定動作を行うが、検出した温度が動作温度範囲外である場合には、ＢＤの判定動作をスキップして、次の判定動作へ移行する。
【００４２】
このように、ＢＤの動作温度範囲外の場合には、ＢＤ用のレーザ光の照射を行わず、ＣＤ及びＤＶＤの判別のみを行うので、ＢＤの動作温度範囲を超えた高温や低温のために、ＢＤの正常な再生等ができない場合であっても、誤判定が防止される。また、ＣＤやＤＶＤの判別へ移行するまでの時間が短縮され、ＣＤやＤＶＤの再生等を実行できる可能性が高まる。このため、本実施形態は、温度の変化幅の大きい車載用の光ディスク装置において、有効となる。
【００４３】
また、例えば、１枚のＢＤの複数の記録層に、それぞれＢＤ用のデータ、ＤＶＤ用のデータを記録したハイブリッドディスクの記録再生装置の場合には、データを読み取る層を変えることにより、ＢＤとＤＶＤという２種類のデータの記録再生が可能となる。本実施形態では、かかるハイブリッドディスクの場合にも、ＢＤの誤判別が防止されて、ＤＶＤの記録再生への移行がスムーズに行われる。なお、実施形態では、ＢＤの判定に続きＣＤの判定を行う装置として説明しているが、上記したハイブリッドディスクには、ＢＤ用のデータと共にＤＶＤ用のデータが記録されているため、ＢＤの判定に続きＤＶＤの判定を行うようにすることで、上記したようなハイブリッドディスクにおけるＤＶＤ用のデータをより早い段階で再生開始することが可能となる。
【００４４】
［他の実施形態］
本発明は、上記のような実施形態には限定されない。例えば、上記の実施形態においては、温度による判定処理のスキップ対象を、ＢＤのみとしているが、各メディア毎に、動作温度範囲を設定（設定記憶部に記憶）しておき、温度検出部が検出した温度が、動作温度範囲内に収まらないメディアについては、判定処理をスキップするようにしてもよい。
【００４５】
かかる場合の処理の一例を、図３のフローチャートを示す。すなわち、この例では、上記の実施形態における設定記憶部５１に、ＢＤの動作温度範囲、ＤＶＤの動作温度範囲、ＣＤの動作温度範囲を記憶しておく。そして、温度判定部５３がステップ３０２においてＢＤの動作温度範囲外か否かを判断し、ステップ３０９においてＤＶＤの動作温度範囲外か否かを判断し、ステップ３１６においてＣＤの動作温度範囲外か否かを判断する。そして、選択部５４が、動作温度範囲外と判断された光ディスクＤの判定処理をスキップする。
【００４６】
この場合、光ピックアップのいずれかの箇所に温度検出部が設置されていればよい。但し、各レーザ光源毎に、その周囲若しくは近傍に温度検出部を設置して、動作温度範囲外か否かを、それぞれのメディアに対応するレーザ光源近傍の温度検出部からの温度に基づいて判定することにより、従来の装置に対して誤判定が低減され、また、判定に要する時間を短縮することが可能となる。なお、ここでは、判別が正常に行えないメディア（ディスク）の種類を短時間で判定するために、温度条件が厳しい順（ＢＤ、ＤＶＤ、ＣＤ）に温度判定をしているが、この順序は適宜変更可能である。例えば、ＢＤ、ＣＤ、ＤＶＤの順に温度判定を行うようにしてもよいし、その他の組み合わせの順で温度判定を行うようにしてもよい。
【００４７】
また、温度判定部による動作温度範囲外か否かの判定において、あらかじめ設定されたしきい値を含むか否かは自由である。つまり、範囲外となる場合に、上限の値以上とするか、上限の値より大きいとするか、下限の値以下とするか、下限の値より小さいとするかは、自由である。
【００４８】
さらに、本発明が適用される光ピックアップや光ディスク装置の具体的な構成、各光ディスクの判定手法、使用する光ディスクについても、上記の実施形態で例示したものには限定されず、現在又は将来において利用可能なあらゆるものが含まれる。
【００４９】
例えば、再生用の装置ばかりでなく、記録用の装置にも適用可能である。従って、メディアの種類の判定後の次動作には、再生動作のみならず、記録動作も含まれる。また、光ディスクの種類に応じて、それに対応するレーザ光源も選択される。複数種の光ディスクについて、レーザ光源を共有してもよい。
【００５０】
また、請求項において、制御手段が、「動作温度範囲にないと判定されたメディアを除外してメディアの種類を判定するように前記メディア判定手段を制御する」とは、結果として、動作温度範囲外のメディアの判定がスキップされて、他のメディアの判定処理に移行する処理を広く含む。したがって、上記の実施形態のように、レーザ制御部によるレーザ光源の選択によって、当該処理を実現してもよいし、振幅測定部若しくはディスク判定部による処理対象の選択によって、当該処理を実現してもよい。
【符号の説明】
【００５１】
１…ターンテーブル
２…スピンドルモータ
３…光ピックアップ
４…温度センサ
５…制御装置
３１…対物レンズ
３２…アクチュエータ
３３…ＢＤレーザ光源
３４…ＣＤレーザ光源
３５…ＤＶＤレーザ光源
３６…光学素子部
３７…光検出器
５１…設定記憶部
５２…温度測定部
５３…温度判定部
５４…選択部
５５…レーザ制御部
５６…駆動制御部
５７…振幅測定部
５８…ディスク判定部
【図１】
2011040114.tif 000003
【図２】
2011040114.tif 000004
【図３】
2011040114.tif 000005